(57)【要約】【課題】刈払機や材料切断機等の機械に装着される回転刃は、刃に様々な工夫がなされているが、他の用途に使用できるものはなかった。そこで回転刃の表面を時計の文字盤として利用することで機械に装着して使用しないときは、時計として使用できる時計付回転刃を提供する。【解決手段】時計付回転刃を回転刃の表面に表示された時計文字盤と回転刃の裏面に取り付けられた時計ムーブメントと時計ムーブメントに立設されたシャフトとシャフトに装着された時針とシャフトに装着された分針とから構成する。【選択図】図１
0003222234.tif 000002
【実用新案登録請求の範囲】
【請求項１】
中心位置に取付穴が穿設された円板状の台金の外周に複数の刃が形成された回転刃と
前記回転刃の表面に表示された時計文字盤と
前記回転刃の裏面に取り付けられた時計ムーブメント本体と
前記時計ムーブメント本体に立設され、前記取付穴を貫通するシャフトと
前記シャフトに装着された時針と
前記シャフトに装着された分針と
から構成されることを
特徴とする時計付回転刃。
【請求項２】
前記時計文字盤の文字が前記台金に形成された打抜穴で表示されることを特徴とする請求項１に記載の時計付回転刃。
【請求項３】
前記回転刃が刈払機用のチップソーであることを特徴とする請求項１又は２に記載の時計付回転刃
【請求項４】
前記取付穴と前記シャフトとの隙間を平ワッシャ状のスペーサーで充填したことを特徴とする請求項３に記載の時計付回転刃。
【考案の詳細な説明】
【技術分野】
【０００１】
本考案は、時計としても使用することができる時計付回転刃に関するものである。
【背景技術】
【０００２】
切断機や雑草等を刈り取るための刈払機に用いられる回転刃は、中心に取付穴を有する平らな円形の金属板とその外周縁に沿って設けられた複数の刃で形成されている。この回転刃については、刃の長寿命化のために刃の先端にチップが付された技術（特許文献１参照）が提案されている。  
【先行技術文献】
【特許文献】
【０００３】
【特許文献１】特開２０１４-２３３２５８号広報
【考案の概要】
【考案が解決しようとする課題】
【０００４】
しかしながら、特許文献１に代表される回転刃は、雑草等を刈り取るための技術的工夫はされているものの、他の用途への応用は検討されていない。
【０００５】
そこで、本考案は、時計としても使用できる時計付の回転刃を提供することを課題としている。
【課題を解決するための手段】
【０００６】
本考案は、回転刃に時計の文字盤としての機能を持たせることにより、時計としても使用することのできる回転刃である。
【０００７】
すなわち、第１の本考案は、中心位置に取付穴が穿設された円板状の台金の外周に複数の刃が形成された回転刃と、回転刃の表面に表示された時計文字盤と、回転刃の裏面に取り付けられた時計ムーブメント本体と、時計ムーブメント本体に立設され、取付穴を貫通するシャフトと、シャフトに装着された時針と、シャフトに装着された分針とから構成されることを特徴とする時計付回転刃である。
【０００８】
第１の本考案は、刈払機や切断機に装着される回転刃の表面を時計の文字盤とすべく、表面に時刻を表示した。そして時計ムーブメントのシャフトが、回転刃の中心部に穿設された取付穴を回転刃の裏面側から表面側に貫通するように、時計ムーブメント本体が回転刃に設けられる。
さらにシャフトには回転刃の表面側から時針と分針とが装着される。シャフトには必要に応じて秒針を装着することもできる。
【０００９】
時計ムーブメント本体は、シャフトの下部に設けられた雄ネジに回転刃の表面側から固定ナットを係合させることで、回転刃に固定される。
そして回転刃の表面には、印刷や台金の打抜によって文字盤が表示される。
【００１０】
次に第２の本考案は、第１の本考案において時計文字盤の文字が台金に形成された打抜穴で表示されることを特徴とする時計付回転刃である。
【００１１】
時計文字盤を台金の表裏間を打ち抜いた穴で形成することで、意匠性と軽量化を同時に実現することができる。表示される文字は、アラビア数字であってもローマ数字であってもよい。また、小さな丸穴を多数空けて数字を表すこともできる。
【００１２】
次に第３の本考案は、第１又は第２の本考案において、回転刃が刈払機用のチップソーであることを特徴とする時計付回転刃である。
【００１３】
回転刃を回転刃の中でも農作業に広く使用される刈払機用のチップソーとすることで、回転刃としての使用頻度が向上する。
【００１４】
次に第４の本考案は、第３の本考案において、取付穴とシャフトとの隙間を平ワッシャ状のスペーサーで充填したことを特徴とする時計付回転刃である。
【００１５】
通常、チップソーの取付穴の直径は２５.４ｍｍであるが、時計ムーブメントのシャフトの外径は７ｍｍ程度である。よって時計ムーブメント本体をチップソーに取り付ける際に、正確に中心位置にシャフトを固定することが難しい。また、少し固定ナットが緩むとシャフトが中心位置からずれてしまうという問題がある。
第４の本考案は、取付穴とシャフトの隙間を平ワッシャ状のスペーサーで充填することでこの問題を解決した。
【考案の効果】
【００１６】
上記の基本的な構成からなる本考案は、回転刃に時計の文字盤としての機能を付加することにより、刈払機等に取り付けて使用する前に時計としても利用することができる。時計として利用した後は、時計ムーブメントを取り外して、通常の回転刃としても使用することができる。
【図面の簡単な説明】
【００１７】
【図１】本考案の実施形態を説明するための組立斜視図である。
【図２】本考案の実施形態を説明するためのムーブメント取付部分の拡大断面図である。
【図３】本考案の実施形態を説明するための印刷による文字盤（アラビア数字）の平面図である。
【図４】本考案の実施形態を説明するための打抜穴による文字盤（アラビア数字ステンシル体）の平面図である。
【図５】本考案の実施形態を説明するための打抜穴による文字盤（ローマ数字）の平面図である。
【図６】本考案の実施形態を説明するための打抜穴による文字盤（アラビア数字穴文字）の平面図である。
【考案を実施するための形態】
【００１８】
以下、本考案の実施形態（実施例）を図に基づいて詳細に説明する。
【実施例】
【００１９】
図１は、本考案の実施形態を説明するための組立斜視図である。
時計ムーブメント本体２０に立設されたシャフト２２にゴムパッキン３０とワッシャ３２とスペーサー３４とチップソー１０とワッシャ３２とが通され、スペーサー３４がチップソー１０の台金１１に設けられている取付穴１４とシャフト２２との隙間を充填するように、時計ムーブメント本体２０が固定ナット３６でチップソー１０に固定される。
そして、時針２８、分針２６、秒針２４が順にシャフト２２に差し込まれる。チップソー１０の表面には時計文字盤１２が表示されている。時計ムーブメント本体は乾電池で駆動される。
【００２０】
本実施形態の時計付回転刃を刈払機に装着するときには、固定ナット３６を緩めて、時計ムーブメント本体２０、時針２８、分針２６、秒針２４等の時計機構を全て取り外す。
【００２１】
図２は、本考案の実施形態を説明するためのムーブメント取付部分の拡大断面図である。時計ムーブメント本体２０に立設されたシャフト２２にゴムパッキン３０、ワッシャ３２、スペーサー３４、チップソー１０、ワッシャ３２が通され、チップソー１０の取付穴１４にスペーサー３４が嵌るように固定ナット３６で時計ムーブメント本体２０がチップソー１０に固定される。
シャフト２２には、時針２８、分針２６、秒針２４が順に差し込まれている。
【００２２】
図３は、本考案の実施形態を説明するための印刷による文字盤（アラビア数字）の平面図である。チップソー１０の表面に時計文字盤１２として、１〜１２までのアラビア数字が印刷されている。
【００２３】
図４は、本考案の実施形態を説明するための打抜穴による文字盤（アラビア数字ステンシル体）の平面図である。チップソー１０の表裏を貫通する打抜穴の形態で、１〜１２までのステンシル体のアラビア数字により時計文字盤１２が形成されている。チップソー１０の表面は、時計文字盤１２が見やすいように暗い色で着色されている。
【００２４】
図５は、本考案の実施形態を説明するための打抜穴による文字盤（ローマ数字）の平面図である。チップソー１０の表裏を貫通する打抜穴の形態で、１〜１２までのローマ数字により時計文字盤１２が形成されている。チップソー１０の表面は、時計文字盤１２が見やすいように暗い色で着色されている。なお、ローマ数字の場合は、ステンシル体とする必要がない。
【００２５】
図６は、本考案の実施形態を説明するための打抜穴による文字盤（アラビア数字穴文字）の平面図である。チップソー１０の表裏を貫通する小さな複数の丸穴で表現された１〜１２までのアラビア数字により時計文字盤１２が形成されている。チップソー１０の表面は、時計文字盤１２が見やすいように暗い色で着色されている。
【符号の説明】
【００２６】
１      時計付回転刃
１０    チップソー（回転刃）
１１    台金
１２    時計文字盤
１４    取付穴
１６    台金
２０    時計ムーブメント本体
２２    シャフト
２４    秒針
２６    分針
２８    時針
３０    ゴムパッキン
３２    ワッシャ
３４    スペーサー
３６    固定ナット
【図１】
0003222234.tif 000003
【図２】
0003222234.tif 000004
【図３】
0003222234.tif 000005
【図４】
0003222234.tif 000006
【図５】
0003222234.tif 000007
【図６】
0003222234.tif 000008